(57)【要約】【課題】時間的に変動する信号を扱う機器の接地電位を、より簡単に、より確実に、大地の電位により近づける。【解決手段】一方の端部が交流の商用電源のラインに接続され、他方の端部が機器の電源に接続される第１の配線と、一方の端部が商用電源のニュートラルに接続され、他方の端部が機器の電源に接続される第２の配線と、一方の端部が開放され、他方の端部が機器のアースに接続される第３の配線とで商用電源を機器に接続し、接地する接地回路において、一方の端子が第２の配線に接続されている第１のコンデンサと、一方の端子が第３の配線の一方の端部側に接続されている第２のコンデンサと、一方の端子が第３の配線の他方の端部側に接続されている第３のコンデンサとを設ける。第１のコンデンサの他方の端子、第２のコンデンサの他方の端子および第３のコンデンサの他方の端子は接続されている。【選択図】図５
2020027754.tif 000002
【特許請求の範囲】
【請求項１】
一方の端部が交流の商用電源のラインに接続され、他方の端部が機器の電源に接続される第１の配線と、一方の端部が前記商用電源のニュートラルに接続され、他方の端部が前記機器の電源に接続される第２の配線と、一方の端部が開放され、他方の端部が前記機器のアースに接続される第３の配線とで前記商用電源を前記機器に接続し、接地する接地回路において、
２つの端子を有し、２つの端子のうちの一方の端子が前記第２の配線に接続されている第１のコンデンサと、
２つの端子を有し、２つの端子のうちの一方の端子が前記第３の配線の一方の端部側に接続されている第２のコンデンサと、
２つの端子を有し、２つの端子のうちの一方の端子が前記第３の配線の他方の端部側に接続されている第３のコンデンサと
を備え、
前記第１のコンデンサの２つの端子のうちの他方の端子、前記第２のコンデンサの２つの端子のうちの他方の端子および前記第３のコンデンサの２つの端子のうちの他方の端子が接続されている
接地回路。
【請求項２】
請求項１に記載の接地回路において、
２つの端子を有し、２つの端子のうちの一方の端子が前記第１の配線に接続され、２つの端子のうちの他方の端子が前記第２の配線に接続されている第４のコンデンサをさらに備える
接地回路。
【請求項３】
請求項１に記載の接地回路において、
２つの端子を有し、２つの端子のうちの一方の端子が前記第１の配線の他方の端部側に接続されている第４のコンデンサと、
前記第１の配線の一方の端部側および前記第１の配線の他方の端部側の接続を開閉する第１のリレーと、
前記第１のコンデンサの一方の端子と前記第２の配線とを接続すると共に、前記第４のコンデンサの２つの端子のうちの他方の端子と前記第２のコンデンサの他方の端子および前記第３のコンデンサの他方の端子との接続を切断するか、または前記第１のコンデンサの一方の端子と前記第２の配線との接続を切断すると共に、前記第４のコンデンサの他方の端子と前記第２のコンデンサの他方の端子および前記第３のコンデンサの他方の端子とを接続する第２のリレーと
をさらに備える接地回路。
【請求項４】
請求項３に記載の接地回路において、
前記商用電源と前記機器との接続が指示された場合、前記第１の配線の一方の端部に交流電圧が印加され、前記第２の配線の一方の端部に交流電圧が印加されていないとき、前記第２のリレーに、前記第１のコンデンサの一方の端子と前記第２の配線とを接続させると共に、前記第４のコンデンサの他方の端子と前記第２のコンデンサの他方の端子および前記第３のコンデンサの他方の端子との接続を切断させ、前記第２の配線の一方の端部に交流電圧が印加され、前記第１の配線の一方の端部に交流電圧が印加されていないとき、前記第２のリレーに、前記第１のコンデンサの一方の端子と前記第２の配線との接続を切断させると共に、前記第４のコンデンサの他方の端子と前記第２のコンデンサの他方の端子および前記第３のコンデンサの他方の端子とを接続させ、前記第２のリレーを開閉させてから、前記第１のリレーに、前記第１の配線の一方の端部と、前記第１の配線の他方の端部側とを接続させるように、前記第１のリレーおよび前記第２のリレーの開閉を制御する制御部をさら備える
接地回路。
【請求項５】
一方の端部が交流の商用電源のラインに接続され、他方の端部が機器の電源に接続される第１の配線と、一方の端部が前記商用電源のニュートラルに接続され、他方の端部が前記機器の電源に接続される第２の配線と、一方の端部が開放され、他方の端部が前記機器のアースに接続される第３の配線とで前記商用電源を前記機器に接続し、接地する接地回路において、
２つの端子を有する第１のコンデンサと、
２つの端子を有し、２つの端子のうちの一方の端子が前記第１のコンデンサの２つの端子のうちの一方の端子に接続されている第２のコンデンサと、
２つの端子を有し、２つの端子のうちの一方の端子が前記第１のコンデンサの一方の端子および前記第２のコンデンサの一方の端子に接続されている第３のコンデンサと、
前記第１の配線または前記第２の配線のいずれか一方に排他的に接続する第１のリレーと、
前記第１のコンデンサの２つの端子のうちの他方の端子を前記第１のリレーを介して前記第１の配線若しくは前記第２の配線のいずれか一方に接続し、前記第２のコンデンサの２つの端子のうちの他方の端子を前記第３の配線の一方の端部側に接続し、前記第３のコンデンサの２つの端子のうちの他方の端子を前記第３の配線の他方の端部側に接続するか、または前記第１のコンデンサの他方の端子の前記第１のリレーを介した前記第１の配線若しくは前記第２の配線のいずれか一方への接続を切断し、前記第２のコンデンサの他方の端子の前記第３の配線の一方の端部側への接続を切断し、前記第３のコンデンサの他方の端子の前記第３の配線の他方の端部側への接続を切断する第２のリレーと
を備える接地回路。
【請求項６】
請求項５に記載の接地回路において、
前記商用電源と前記機器との接続が指示された場合、前記第１の配線の一方の端部に交流電圧が印加され、前記第２の配線の一方の端部に交流電圧が印加されていないとき、前記第１のリレーに、前記第１の配線に接続させ、前記第２の配線の一方の端部に交流電圧が印加され、前記第１の配線の一方の端部に交流電圧が印加されていないとき、前記第１のリレーに、前記第２の配線に接続させ、前記第１のリレーを前記第１の配線または前記第２の配線のいずれか一方に接続させたとき、前記第２のリレーに、前記第１のコンデンサの他方の端子を前記第１のリレーを介して前記第１の配線または前記第２の配線のいずれか一方に接続させ、前記第２のコンデンサの他方の端子を前記第３の配線の一方の端部側に接続させ、前記第３のコンデンサの他方の端子を前記第３の配線の他方の端部側に接続させるように、前記第１のリレーおよび前記第２のリレーの開閉を制御する制御部をさらに備える
接地回路。
【請求項７】
請求項５に記載の接地回路において、
２つの端子を有し、２つの端子のうちの一方の端子が前記第１の配線に接続され、２つの端子のうちの他方の端子が前記第２の配線に接続されている第４のコンデンサをさらに備える
接地回路。
【請求項８】
請求項５に記載の接地回路において、
前記第１の配線の一方の端部側および前記第１の配線の他方の端部側の接続と前記第２の配線の一方の端部側および前記第２の配線の他方の端部側の接続とを開閉する第３のリレーをさらに備える
接地回路。
【請求項９】
請求項１から請求項８のいずれかに記載の接地回路を備える電源用のマルチタップ。
【発明の詳細な説明】
【技術分野】
【０００１】
本発明は接地回路および電源用のマルチタップに関し、特に、音響機器または映像機器などの機器を接地するための接地回路および電源用のマルチタップに関する。
【背景技術】
【０００２】
従来、感電を防止するために、電気機器を接地することが行われている。この場合、アース棒を地中に埋めることで、電気機器の筐体に漏電したときでも、漏電電流を地中に逃がすことで、電気機器の筐体を大地と同電位に保ち、感電を防止するものである。このような専用接地は、直流を流す回路として設けられる。
【０００３】
音声を再生する音響機器や画像を再生して表示する映像機器においても、接地が重要であることはよく知られている。しかし、集合住宅などでは音響機器や映像機器を接地するための、品質の高い専用接地線を設けることは物理的に困難である。
【０００４】
図１は、従来の機器の接続を説明する図である。マルチタップ１０は、商用電源を分岐接続するものであり、固定しないで使用される。マルチタップ１０は、接続部１１、差込プラグ１２およびコード１３からなる。再生装置１４は、音声を再生し、音声信号を出力する。コード１６は、電源コードである。コード１６の一方の端部は再生装置１４に接続されている。差込プラグ１５は、コード１６の他方の端部に設けられている。増幅装置１７は、再生装置１４から出力される音声信号を増幅する。コード１９は、電源コードである。コード１９の一方の端部は、増幅装置１７に接続されている。差込プラグ１８は、コード１９の他方の端部に設けられている。
【０００５】
ピンケーブル２０は、再生装置１４と増幅装置１７とを接続し、再生装置１４から増幅装置１７に音声信号を伝送する。増幅装置１７は、増幅された音声信号をラウドスピーカ２１に供給することで、ラウドスピーカ２１を駆動させる。ラウドスピーカ２１は、増幅装置１７による駆動で放音する。
【０００６】
差込プラグ１５および差込プラグ１８は、接続部１１に差し込まれる。すなわち、差込プラグ１５、差込プラグ１８および接続部１１は、差込接続器を構成する。差込プラグ１２は、商用電源を供給するための、差込接続器のプラグ受けであるコンセント（図示せず）に差し込まれる。すなわち、差込プラグ１２とコンセント（図示せず）とは差込接続器を構成する。
【０００７】
マルチタップ１０、再生装置１４および増幅装置１７は、ラインの配線（以下、図中においてLとも表す。）、ニュートラルの配線（以下、図中においてNとも表す。）およびアースの配線（以下、図中においてEとも表す。）により、電源が接続される。
【０００８】
図２は、コード１９の配線を示す図である。コード１９は、ラインの配線４１、ニュートラルの配線４２およびアースの配線４３からなる。ニュートラルの配線４２は、マルチタップ１０を介して接続される電力供給側において、中性点接地４４に接続されている。アースの配線４３は、増幅装置１７の機器側において、接続可能な場合、機器専用接地４５に接続される。
【０００９】
図３は、実際の接地電位を示す図である。図３中の上下方向は、電位を示し、図３中の上側はより高い電位を示す。ピンケーブル２０は、再生装置１４と増幅装置１７とを接続する。この場合、ピンケーブル２０は、再生装置１４の接地電位と増幅装置１７の接地電位とをつなげることになる。
【００１０】
実線６１は、０Ｖを示す。この場合、０Ｖは、大地の電位である。点線６２は、再生装置１４の接地電位を示す。点線６３は、増幅装置１７の接地電位を示す。再生装置１４の接地電位と増幅装置１７の接地電位とは、ピンケーブル２０で接続されるので、図１に示される再生装置１４および増幅装置１７からなるシステムの接地電位は、点線６２で示される再生装置１４の接地電位と点線６３で示される増幅装置１７の接地電位との平衡点となる。図３において、一点鎖線６４は、点線６２で示される再生装置１４の接地電位と点線６３で示される増幅装置１７の接地電位との平衡点の電位を示す。すなわち、再生装置１４および増幅装置１７からなるシステムの接地電位は、一点鎖線６４で示される電位となる。
【００１１】
画像を再生する場合の映像の再生装置および表示装置においても同様の現象が生じている。
【００１２】
従来、レコードプレーヤよりアンプに至る接地系路を設けるとともにこの系路にスイッチを介入したことを特徴とするレコードプレーヤの接地回路もある（例えば、特許文献１参照）。
【先行技術文献】
【特許文献】
【００１３】
【特許文献１】実開昭５２−１４３９０５号公報
【発明の概要】
【発明が解決しようとする課題】
【００１４】
本来、音声を再生するかまたは画像を再生して表示する機器の接地電位は、０Ｖである大地の電位であるとして設計および開発されている。
【００１５】
しかしながら、上述のように、第１に、音声を再生するかまたは画像を再生して表示する各機器に固有の接地電位が生じることになる。各機器の接地電位は、機器の設計（動作）の基本となる０Ｖである大地の電位にならない。
【００１６】
第２に、各機器間は、ピンケーブル２０などの導線により接続されて、接地回路が結合されるので、それぞれの機器の固有の接地電位は機器間の平衡点になり、システムとしての接地電位も０Ｖである大地の電位にならない。
【００１７】
第３に、集合住宅などでは機器専用接地４５を設けることは現実的に難しい。
【００１８】
以上から、各機器における電位と、設計の基準となる電位との間にギャップ（差異）が生じてしまう。また、機器内で発生する不要な電荷が機器内に滞留してしまい、機器の電位がさらに変動してしまう。現物の機器の接地の電位を実際に測定してみると、数十Vとなる場合があることが確認された。
【００１９】
音声を再生するかまたは画像を再生して表示する機器においては、時間的に電位が変動する信号や駆動のための電力が生じているので、大地の電位に対して、機器の接地電位が時間的に変動してしまう。
【００２０】
このように、各機器の接地電位は０Ｖである大地の電位にならず、また、音声を再生するかまたは画像を再生して表示する場合には、接地電位が時間的に変動するので、各機器およびシステムの本来の性能が発揮されない。
【００２１】
本発明は、このような状況に鑑みてなされたものであり、時間的に変動する信号を扱う機器の接地電位を、より簡単に、より確実に、大地の電位により近づけることができるようにするものである。
【課題を解決するための手段】
【００２２】
本発明の第１の側面の接地回路は、一方の端部が交流の商用電源のラインに接続され、他方の端部が機器の電源に接続される第１の配線と、一方の端部が商用電源のニュートラルに接続され、他方の端部が機器の電源に接続される第２の配線と、一方の端部が開放され、他方の端部が機器のアースに接続される第３の配線とで商用電源を機器に接続し、接地する接地回路であって、２つの端子を有し、２つの端子のうちの一方の端子が第２の配線に接続されている第１のコンデンサと、２つの端子を有し、２つの端子のうちの一方の端子が第３の配線の一方の端部側に接続されている第２のコンデンサと、２つの端子を有し、２つの端子のうちの一方の端子が第３の配線の他方の端部側に接続されている第３のコンデンサとを備え、第１のコンデンサの２つの端子のうちの他方の端子、第２のコンデンサの２つの端子のうちの他方の端子および第３のコンデンサの２つの端子のうちの他方の端子が接続されている。
【００２３】
２つの端子を有し、２つの端子のうちの一方の端子が第１の配線に接続され、２つの端子のうちの他方の端子が第２の配線に接続されている第４のコンデンサをさらに設けることができる。
【００２４】
２つの端子を有し、２つの端子のうちの一方の端子が第１の配線の他方の端部側に接続されている第４のコンデンサと、第１の配線の一方の端部側および第１の配線の他方の端部側の接続を開閉する第１のリレーと、第１のコンデンサの一方の端子と第２の配線とを接続すると共に、第４のコンデンサの２つの端子のうちの他方の端子と第２のコンデンサの他方の端子および第３のコンデンサの他方の端子との接続を切断するか、または第１のコンデンサの一方の端子と第２の配線との接続を切断すると共に、第４のコンデンサの他方の端子と第２のコンデンサの他方の端子および第３のコンデンサの他方の端子とを接続する第２のリレーとをさらに設けることができる。
【００２５】
商用電源と機器との接続が指示された場合、第１の配線の一方の端部に交流電圧が印加され、第２の配線の一方の端部に交流電圧が印加されていないとき、第２のリレーに、第１のコンデンサの一方の端子と第２の配線とを接続させると共に、第４のコンデンサの他方の端子と第２のコンデンサの他方の端子および第３のコンデンサの他方の端子との接続を切断させ、第２の配線の一方の端部に交流電圧が印加され、第１の配線の一方の端部に交流電圧が印加されていないとき、第２のリレーに、第１のコンデンサの一方の端子と第２の配線との接続を切断させると共に、第４のコンデンサの他方の端子と第２のコンデンサの他方の端子および第３のコンデンサの他方の端子とを接続させ、第２のリレーを開閉させてから、第１のリレーに、第１の配線の一方の端部と、第１の配線の他方の端部側とを接続させるように、第１のリレーおよび第２のリレーの開閉を制御する制御部をさらに設けることができる。
【００２６】
本発明の第２の側面の接地回路は、一方の端部が交流の商用電源のラインに接続され、他方の端部が機器の電源に接続される第１の配線と、一方の端部が商用電源のニュートラルに接続され、他方の端部が機器の電源に接続される第２の配線と、一方の端部が開放され、他方の端部が機器のアースに接続される第３の配線とで商用電源を機器に接続し、接地する接地回路であって、２つの端子を有する第１のコンデンサと、２つの端子を有し、２つの端子のうちの一方の端子が第１のコンデンサの２つの端子のうちの一方の端子に接続されている第２のコンデンサと、２つの端子を有し、２つの端子のうちの一方の端子が第１のコンデンサの一方の端子および第２のコンデンサの一方の端子に接続されている第３のコンデンサと、第１の配線または第２の配線のいずれか一方に排他的に接続する第１のリレーと、第１のコンデンサの２つの端子のうちの他方の端子を第１のリレーを介して第１の配線若しくは第２の配線のいずれか一方に接続し、第２のコンデンサの２つの端子のうちの他方の端子を第３の配線の一方の端部側に接続し、第３のコンデンサの２つの端子のうちの他方の端子を第３の配線の他方の端部側に接続するか、または第１のコンデンサの他方の端子の第１のリレーを介した第１の配線若しくは第２の配線のいずれか一方への接続を切断し、第２のコンデンサの他方の端子の第３の配線の一方の端部側への接続を切断し、第３のコンデンサの他方の端子の第３の配線の他方の端部側への接続を切断する第２のリレーとを備える。
【００２７】
商用電源と機器との接続が指示された場合、第１の配線の一方の端部に交流電圧が印加され、第２の配線の一方の端部に交流電圧が印加されていないとき、第１のリレーに、第１の配線に接続させ、第２の配線の一方の端部に交流電圧が印加され、第１の配線の一方の端部に交流電圧が印加されていないとき、第１のリレーに、第２の配線に接続させ、第１のリレーを第１の配線または第２の配線のいずれか一方に接続させたとき、第２のリレーに、第１のコンデンサの他方の端子を第１のリレーを介して第１の配線または第２の配線のいずれか一方に接続させ、第２のコンデンサの他方の端子を第３の配線の一方の端部側に接続させ、第３のコンデンサの他方の端子を第３の配線の他方の端部側に接続させるように、第１のリレーおよび第２のリレーの開閉を制御する制御部をさらに設けることができる。
【００２８】
２つの端子を有し、２つの端子のうちの一方の端子が第１の配線に接続され、２つの端子のうちの他方の端子が第２の配線に接続されている第４のコンデンサをさらに設けることができる。
【００２９】
第１の配線の一方の端部側および第１の配線の他方の端部側の接続と第２の配線の一方の端部側および第２の配線の他方の端部側の接続とを開閉する第３のリレーをさらに設けることができる。
【００３０】
電源用のマルチタップに接地回路を設けることができる。
【発明の効果】
【００３１】
以上のように、本発明によれば、時間的に変動する信号を扱う機器の接地電位を、より簡単に、より確実に、大地の電位により近づけることができる。
【図面の簡単な説明】
【００３２】
【図１】従来の機器の接続を説明する図である。
【図２】コード１９の配線を示す図である。
【図３】実際の接地電位を示す図である。
【図４】本発明の実施の形態の接地回路を含む音声再生システムの構成を示すブロック図である。
【図５】交流接地装置１１４の交流接地回路の構成の例を示す図である。
【図６】計測された電位の例を説明する図である。
【図７】計測された電位の例を説明する図である。
【図８】計測された電位の例を説明する図である。
【図９】計測された電位の例を説明する図である。
【図１０】交流接地装置１１４の交流接地回路の構成の他の例を示す図である。
【図１１】交流接地装置１１４の交流接地回路の構成のさらに他の例を示す図である。
【図１２】リレー制御回路３０９の制御を説明する図である。
【図１３】交流接地装置１１４の交流接地回路の構成のさらに他の例を示す図である。
【発明を実施するための形態】
【００３３】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００３４】
本発明の一側面の接地回路は、一方の端部が交流の商用電源のラインに接続され、他方の端部が機器の電源に接続される第１の配線（例えば、図５の配線１４１）と、一方の端部が商用電源のニュートラルに接続され、他方の端部が機器の電源に接続される第２の配線（例えば、図５の配線１４２）と、一方の端部が開放され、他方の端部が機器のアースに接続される第３の配線（例えば、図５の配線１４３）とで商用電源を機器に接続し、接地する接地回路であって、一方の端子が第２の配線に接続されている第１のコンデンサ（例えば、図５のコンデンサ１５１）と、一方の端子が第３の配線の一方の端部側に接続されている第２のコンデンサ（例えば、図５のコンデンサ１５２）と、一方の端子が第３の配線の他方の端部側に接続されている第３のコンデンサ（例えば、図５のコンデンサ１５３）とを備え、第１のコンデンサの他方の端子、第２のコンデンサの他方の端子および第３のコンデンサの他方の端子が接続されている。
【００３５】
以下、図４乃至図１２を参照して、本発明の実施の形態の接地回路を説明する。
【００３６】
図４は、本発明の実施の形態の接地回路を含む音声再生システムの構成を示すブロック図である。図４に示される音声再生システムは、マルチタップ１０１、再生装置１０２、増幅装置１０３およびラウドスピーカ１０４からなる。
【００３７】
マルチタップ１０１は、交流の商用電源を分岐接続するものであり、固定しないで使用される。マルチタップ１０１は、接続部１１１、差込プラグ１１２、コード１１３および交流接地装置１１４−１からなる。差込プラグ１１２は、交流の商用電源を供給するための、差込接続器のプラグ受けであるコンセント（図示せず）に差し込まれる。差込プラグ１１２とコンセント（図示せず）とは差込接続器を構成する。差込プラグ１１２には、ライン、ニュートラルおよびアースの平刃または引掛形の刃が設けられている。
【００３８】
差込プラグ１１２がコンセント（図示せず）に差し込まれることで差込プラグ１１２から供給される商用電源（交流電源）は、コード１１３および交流接地装置１１４−１を介して、接続部１１１に供給される。コード１１３は、ラインの配線、ニュートラルの配線およびアースの配線により、差込プラグ１１２と交流接地装置１１４−１と接続部１１１とを接続する。
【００３９】
交流接地装置１１４−１は、コード１１３のアースの配線の電位を交流的に接地して、コード１１３のアースの配線の電位を大地の電位により近づける。
【００４０】
再生装置１０２は、音声を再生し、音声信号を出力する。例えば、再生装置１０２は、コンパクトディスクプレーヤである。コード１１６は、電源コードである。コード１１６の一方の端部は再生装置１０２に接続されている。差込プラグ１１５は、コード１１６の他方の端部に設けられている。コード１１６の途中には、交流接地装置１１４−２が接続されている。
【００４１】
差込プラグ１１５は、商用電源を供給するための、差込接続器のプラグ受けであるマルチタップ１０１の接続部１１１に差し込まれる。差込プラグ１１５と接続部１１１とは差込接続器を構成する。差込プラグ１１５には、ライン、ニュートラルおよびアースの平刃または引掛形の刃が設けられている。
【００４２】
差込プラグ１１５が接続部１１１に差し込まれることで、マルチタップ１０１を介して差込プラグ１１５から供給される商用電源（交流電源）は、コード１１６および交流接地装置１１４−２を介して、再生装置１０２に供給される。コード１１６は、ラインの配線、ニュートラルの配線およびアースの配線により、差込プラグ１１５と交流接地装置１１４−２と再生装置１０２とを接続する。
【００４３】
交流接地装置１１４−２は、コード１１６のアースの配線の電位を交流的に接地して、コード１１６のアースの配線の電位を大地の電位により近づける。
【００４４】
増幅装置１０３は、再生装置１０２からの音声信号の信号レベルおよび電力を増幅する。例えば、増幅装置１０３は、音響機器である、いわゆるプリメインアンプリファイアである。コード１１９は、電源コードである。コード１１９の一方の端部は、増幅装置１０３に接続されている。差込プラグ１１８は、コード１１９の他方の端部に設けられている。コード１１９の途中には、交流接地装置１１４−３が接続されている。
【００４５】
差込プラグ１１８は、商用電源を供給するための、差込接続器のプラグ受けであるマルチタップ１０１の接続部１１１に差し込まれる。差込プラグ１１８と接続部１１１とは差込接続器を構成する。差込プラグ１１８には、ライン、ニュートラルおよびアースの平刃または引掛形の刃が設けられている。
【００４６】
差込プラグ１１８が接続部１１１に差し込まれることで、マルチタップ１０１を介して差込プラグ１１８から供給される商用電源（交流電源）は、コード１１９および交流接地装置１１４−３を介して、増幅装置１０３に供給される。コード１１９は、ラインの配線、ニュートラルの配線およびアースの配線により、差込プラグ１１８と交流接地装置１１４−３と増幅装置１０３とを接続する。
【００４７】
交流接地装置１１４−３は、コード１１９のアースの配線の電位を交流的に接地して、コード１１９のアースの配線の電位を大地の電位により近づける。
【００４８】
ピンケーブル１１０は、再生装置１０２と増幅装置１０３とを接続し、再生装置１０２から増幅装置１０３に音声信号を送る。増幅装置１０３は、信号レベルおよび電力が増幅された音声信号をラウドスピーカ１０４に供給することで、ラウドスピーカ１０４を駆動させる。ラウドスピーカ１０４は、増幅装置１０３による駆動で放音する。
【００４９】
なお、交流接地装置１１４−１乃至交流接地装置１１４−３のいずれか１つを設けるようにしてもよい。この場合、交流接地装置１１４−１乃至交流接地装置１１４−３のいずれかが、アースの配線の電位を交流的に接地して、再生装置１０２および増幅装置１０３のアースの電位を大地の電位により近づける。
【００５０】
また、再生装置１０２は、画像を再生し、画像信号を出力するものであっても良く、この場合、増幅装置１０３に代えて、画像を表示するための表示装置を設けることができる。
【００５１】
以下、交流接地装置１１４−１乃至交流接地装置１１４−３を、個々に区別する必要がない場合、単に、交流接地装置１１４と称する。
【００５２】
図５は、交流接地装置１１４の交流接地回路の構成の例を示す図である。交流接地装置１１４の交流接地回路は、接地回路の一例である。交流接地装置１１４の交流接地回路は、配線１４１、配線１４２、配線１４３、コンデンサ１５１、コンデンサ１５２、コンデンサ１５３およびスイッチ１５４を含み構成される。
【００５３】
配線１４１、配線１４２および配線１４３は、それぞれ、電気を伝導する導線や基板上の銅箔などからなり、相互に絶縁されている。配線１４１は、差込プラグ１１２側、差込プラグ１１５側または差込プラグ１１８側である電力供給側のラインと、接続部１１１側、再生装置１０２側または増幅装置１０３側である機器側のラインとを接続する。言い換えれば、配線１４１の一方の端部は、交流の商用電源のラインに接続され、配線１４１の他方の端部は、機器の電源に接続される。
【００５４】
配線１４１の途中には、スイッチ１５４が設けられている。スイッチ１５４は、使用者の操作により、開閉される。すなわち、スイッチ１５４が閉じられた場合、配線１４１の電力供給側と配線１４１の機器側とは接続され、スイッチ１５４が開かれた場合、線１４１の電力供給側と配線１４１の機器側との接続は切断される。
【００５５】
配線１４２は、差込プラグ１１２側、差込プラグ１１５側または差込プラグ１１８側である電力供給側のニュートラルと、接続部１１１側、再生装置１０２側または増幅装置１０３側である機器側のニュートラルとを接続する。言い換えれば、配線１４２の一方の端部は、交流の商用電源のニュートラルに接続され、配線１４２の他方の端部は、機器の電源に接続される。配線１４２の電力供給側は、電柱側中性点接地１４４により、接地される。
【００５６】
配線１４３は、差込プラグ１１２側、差込プラグ１１５側または差込プラグ１１８側である電力供給側のアースと、接続部１１１側、再生装置１０２側または増幅装置１０３側である機器側のアースとを接続する。言い換えれば、配線１４３の一方の端部は、開放され、配線１４３の他方の端部は、機器のアースに接続される。配線１４３の途中には、コンデンサ１５２およびコンデンサ１５３が直列に接続されている。
【００５７】
コンデンサ１５１は、配線１４２と、コンデンサ１５２およびコンデンサ１５３の接続点とに接続されている。
【００５８】
コンデンサ１５１、コンデンサ１５２およびコンデンサ１５３は、それぞれ、２つの端子を有する、電荷を蓄えたり、放出したりする受動素子である。コンデンサ１５１、コンデンサ１５２およびコンデンサ１５３は、それぞれ、キャパシタとも称される。
【００５９】
すなわち、コンデンサ１５１の一方の端子は、配線１４２に接続されている。コンデンサ１５２の一方の端子は、配線１４３の電力供給側に接続されている。コンデンサ１５３の一方の端子は、配線１４３の機器側に接続されている。
【００６０】
コンデンサ１５１の他方の端子と、コンデンサ１５２の他方の端子と、コンデンサ１５３の他方の端子とは、接続されている。
【００６１】
コンデンサ１５１は、ニュートラルである配線１４２と、アースである配線１４３とを直流的に遮断する。コンデンサ１５２およびコンデンサ１５３は、アースである配線１４３の電力供給側と機器側とを直流的に遮断する。コンデンサ１５２およびコンデンサ１５３は、漏電を防止する役割も持っている。
【００６２】
コンデンサ１５１の容量、コンデンサ１５２の容量およびコンデンサ１５３の容量は、それぞれ、５μＦ乃至１０μＦである。商用電源の交流電圧（実効値）が１００Vである場合、コンデンサ１５１の耐圧、コンデンサ１５２の耐圧およびコンデンサ１５３の耐圧は、それぞれ、４００Ｖ以上とされる。
【００６３】
ニュートラルの配線１４２は、マルチタップ１０１を介して接続される電力供給側において、電柱側中性点接地１４４に接続され、接地されている。アースの配線１４３は、機器側において、機器専用接地１４５に接続することで、接地することができる。
【００６４】
配線１４３の途中に、コンデンサ１５２およびコンデンサ１５３が直列に接続され、コンデンサ１５１の一方の端子が、配線１４２に接続され、コンデンサ１５１の他方の端子が、コンデンサ１５２とコンデンサ１５３との接続点に接続されているので、ニュートラルである配線１４２と、アースである配線１４３との間で、電流の成分のうちの直流成分が遮断され、配線１４３の電力供給側と配線１４３の機器側との間で、電流の成分のうちの直流成分が遮断される。
【００６５】
再生装置１０２または増幅装置１０３で生じる微量の不要電荷（脈流またはパルス状の信号が流れることで装置内に生じる電荷）が、コンデンサ１５１、コンデンサ１５２、コンデンサ１５３およびニュートラルの配線１４２を通じて、交流的に流されることで、電柱側中性点接地１４４に流れ出し、再生装置１０２および増幅装置１０３の接地電位が、０Ｖである大地の電位により近づく。機器専用接地１４５が設けられていない場合でも、不要電荷が電柱側中性点接地１４４に流れ出すので、簡単に、再生装置１０２および増幅装置１０３の接地電位を、０Ｖである大地の電位により近づけることができる。
【００６６】
アースの配線１４３が、機器側において、機器専用接地１４５に接続されている場合、再生装置１０２または増幅装置１０３で生じる微量の不要電荷が、コンデンサ１５１、コンデンサ１５２、コンデンサ１５３およびニュートラルの配線１４２を通じて、交流的に流されることで、配線１４３を通じて機器専用接地１４５にも流れる。
【００６７】
すなわち、電柱側中性点接地１４４および機器専用接地１４５の併用が可能である。機器専用接地１４５で接地すれば、通常の直流的にも接地することができる。
【００６８】
同様に、アースの配線１４３の電力供給側において、専用接地を設けることも可能である。
【００６９】
また、差込プラグ１１２が他の機器（図示せず）に設けられているコンセントに差仕込まれている場合、他の機器で生じる微量の不要電荷が、コンデンサ１５１、コンデンサ１５２、コンデンサ１５３およびニュートラルの配線１４２を通じて、交流的に流されることで、電柱側中性点接地１４４に流れ出し、他の機器の接地電位が、０Ｖである大地の電位により近づく。
【００７０】
次に、図６乃至図９を参照して、計測された電位の例を説明する。なお、図６乃至図９に示される電位は、単独で接地して得られた大地の電位を基準に計測された電位の例である。
【００７１】
図６は、図１に示されるシステムにおける、図２に示されるラインの配線４１、ニュートラルの配線４２およびアースの配線４３のそれぞれの電位を示す図である。すなわち、図６は、本発明の接地回路を適用する前の電位の例を示す図である。電位１７１は、ラインの配線４１の電位の時間的変化を示す。電位１７１は、実効値（Root Mean Square value）で１０２Ｖであった。電位１７２は、ニュートラルの配線４２の電位の時間的変化を示す。電位１７２は、実効値で１．４３Ｖであった。電位１７３は、アースの配線４３の電位の時間的変化を示す。電位１７３は、実効値で８．６５Vであった。
【００７２】
図７は、図４に示されるシステムにおける、図５に示される交流接地装置１１４（この場合、交流接地装置１１４−３）の配線１４１、配線１４２、配線１４３のそれぞれの電位を示す図である。この場合、配線１４１は、商用電源のラインに接続され、配線１４２は、商用電源のニュートラルに接続され、配線１４３は、機器側においてアースと接続されている。すなわち、図７は、本発明の接地回路を適用した場合の電位の例を示す図である。
【００７３】
電位１８１は、ラインの配線１４１の電位の時間的変化を示す。電位１８１は、実効値で１００Ｖであった。電位１８２は、ニュートラルの配線１４２の電位の時間的変化を示す。電位１８２は、実効値で０．８６Ｖであった。電位１８３は、アースの配線１４３の電位の時間的変化を示す。電位１８３は、実効値で０．４６Vであった。
【００７４】
このように、アースの電位が、実効値で８．６５Ｖから０．４６Ｖとなった。本発明の接地回路を適用することで、機器の接地電位が、大地の電位により近づく。
【００７５】
図８は、コンパクトディスクプレーヤである再生装置１４だけを接続した場合、コード１６のラインの配線、コード１６のニュートラルの配線およびコード１６のアースの配線のそれぞれの電位を示す図である。すなわち、図８は、本発明の接地回路を適用する前の電位の例を示す図である。
【００７６】
電位１９１は、コード１６のラインの配線の電位の時間的変化を示す。電位１９１は、実効値で１０２Ｖであった。電位１９２は、コード１６のニュートラルの配線の電位の時間的変化を示す。電位１９２は、実効値で０．９８Ｖであった。電位１９３は、コード１６のアースの配線の電位の時間的変化を示す。電位１９３は、実効値で４７．４Vであった。このように、アースの配線の電位は、現実には、数十Ｖに及ぶことがある。
【００７７】
図９は、図８に示される場合と同じコンパクトディスクプレーヤである再生装置１０２だけを交流接地装置１１４−２を介して商用電源に接続した場合、交流接地装置１１４−２の配線１４１、配線１４２および配線１４３のそれぞれの電位を示す図である。この場合、交流接地装置１１４−２の配線１４１は、商用電源のラインに接続され、交流接地装置１１４−２の配線１４２は、商用電源のニュートラルに接続され、交流接地装置１１４−２の配線１４３は、機器側においてアースと接続されている。すなわち、図９は、本発明の接地回路を適用した場合の電位の例を示す図である。
【００７８】
電位２０１は、交流接地装置１１４−２のラインの配線１４１の電位の時間的変化を示す。電位２０１は、実効値で１０１Ｖであった。電位２０２は、交流接地装置１１４−２のニュートラルの配線１４２の電位の時間的変化を示す。電位２０２は、実効値で０．８６Ｖであった。電位２０３は、交流接地装置１１４−２のアースの配線１４３の電位の時間的変化を示す。電位２０３は、実効値で０．５７Vであった。
【００７９】
このように、アースの電位が、実効値で４７．４Vから０．５７Vとなった。使用する機器によっては接地電位が比較的高いものもあり、この場合も、本発明の接地回路を用いることで、機器の接地電位が、大地の電位により近づくので、本発明の接地回路の有効性が高い。
【００８０】
図１０は、交流接地装置１１４の交流接地回路の構成の他の例を示す図である。図１０に示される交流接地回路は、配線１４１、配線１４２、配線１４３、コンデンサ１５１、コンデンサ１５２、コンデンサ１５３、スイッチ１５４およびコンデンサ２３１を含み構成される。
【００８１】
図１０において、図５に示す場合と同様の部分には同一の符号を付してあり、その説明は省略する。
【００８２】
コンデンサ２３１は、配線１４１の機器側と配線１４２とに接続されている。すなわち、コンデンサ２３１の一方の端子は、配線１４１の機器側に接続されている。コンデンサ２３１の他方の端子は、配線１４２に接続されている。コンデンサ２３１の一方の端子は、配線１４１に接続され、コンデンサ２３１の他方の端子は、コンデンサ１５１の一方の端子に接続されていると言うこともできる。
【００８３】
コンデンサ２３１を設けることにより、機器の力率が改善される。また、コンデンサ２３１を設けることにより、再生装置１０２または増幅装置１０３で生じる微量の不要電荷が、コンデンサ１５１、コンデンサ１５２、コンデンサ１５３、コンデンサ２３１およびニュートラルの配線１４２を通じて、交流的に流されることで、電柱側中性点接地１４４に流れる。これにより、再生装置１０２または増幅装置１０３の接地電位が大地の電位により近づき、ノイズ（残留ノイズ）のレベルが低減され、実質的なＳ／Ｎ比(signal-noise ratio)がより高くなる。また、これにより、実質的にダイナミックレンジが拡大し、音質が改善される。画像を表示するための表示装置においては、同様の理由から、画質が改善される。
【００８４】
次に、交流接地装置１１４の交流接地回路の構成のさらに他の例について説明する。
【００８５】
差込接続器のプラグ受けであるコンセントにおいて、ラインの配線とニュートラルの配線とが逆に接続されていることもある。これに対応するために、交流接地装置１１４において、電圧が印加されるＨＯＴ側と電圧が印加されないＣＯＬＤ側とを判別して、判別の結果に応じてニュートラルの配線とアースの配線との間にコンデンサを接続させることができる。
【００８６】
図１１は、交流接地装置１１４の交流接地回路の構成のさらに他の例を示す図である。図１１に示される交流接地回路は、配線１４１、配線１４２、配線１４３、コンデンサ３０１、コンデンサ３０２、コンデンサ３０３、抵抗器３０４、コンデンサ３０５、抵抗器３０６、リレー３０７、リレー３０８、リレー制御回路３０９、極異常表示ランプ３１０、電源スイッチ３１１およびヒューズ３１２を含み構成される。
【００８７】
図１１において、図５に示す場合と同様の部分には同一の符号を付してあり、その説明は省略する。
【００８８】
配線１４３の途中には、コンデンサ３０２およびコンデンサ３０３が直列に接続されている。
【００８９】
コンデンサ３０１は、リレー３０８を介して配線１４２と、コンデンサ３０２およびコンデンサ３０３の接続点とに接続されている。抵抗器３０４は、コンデンサ３０１に、並列に接続されている。抵抗器３０４は、コンデンサ３０１に蓄えられた電荷を放電する。
【００９０】
コンデンサ３０５は、配線１４１と、リレー３０８を介してコンデンサ３０２およびコンデンサ３０３の接続点とに接続されている。抵抗器３０６は、コンデンサ３０５に、並列に接続されている。抵抗器３０６は、コンデンサ３０５に蓄えられた電荷を放電する。
【００９１】
コンデンサ３０１、コンデンサ３０２、コンデンサ３０３およびコンデンサ３０５は、それぞれ、２つの端子を有し、電荷を蓄えたり、放出したりする受動素子である。コンデンサ３０１、コンデンサ３０２、コンデンサ３０３およびコンデンサ３０５は、それぞれ、キャパシタとも称される。
【００９２】
すなわち、コンデンサ３０１の一方の端子は、リレー３０８を介して配線１４２に接続されている。コンデンサ３０５の一方の端子は、配線１４１に接続されている。コンデンサ３０２の一方の端子は、配線１４３の電力供給側に接続されている。コンデンサ３０３の一方の端子は、配線１４３の機器側に接続されている。
【００９３】
コンデンサ３０１の他方の端子と、コンデンサ３０２の他方の端子と、コンデンサ３０３の他方の端子とは、リレー３０８を介してコンデンサ３０５の他方の端子と接続されている。
【００９４】
リレー３０７は、シングルスティブル型のノーマルオープンタイプの４極リレーである。リレー３０７は、リレー制御回路３０９の制御により、配線１４１の一方の端部側および配線１４１の他方の端部側の接続を開閉する。
【００９５】
リレー３０８は、ａ接点およびｃ接点を有するリレーである。例えば、リレー３０８は、シングルスティブル型のリレーである。リレー３０８のａ接点は、通常開いていて、コイルに電流が流されると、閉じる。リレー３０８のｃ接点は、ａ接点が開いている場合、閉じて、ａ接点が開いている場合、閉じる。
【００９６】
リレー３０８のａ接点の一方の端子には、コンデンサ３０５の他方の端子が接続され、リレー３０８のａ接点の他方の端子は、コンデンサ３０１の他方の端子と、コンデンサ３０２の他方の端子と、コンデンサ３０３の他方の端子とに接続される。リレー３０８のｃ接点の一方の端子は、配線１４２に接続され、リレー３０８のｃ接点の他方の端子には、コンデンサ３０１の一方の端子が接続される。
【００９７】
リレー３０８は、コイルに電流が流されていない場合、コンデンサ３０１の一方の端子と配線１４２とを接続すると共に、コンデンサ３０５の他方の端子とコンデンサ３０２の他方の端子およびコンデンサ３０３の他方の端子との接続を切断する。リレー３０８は、コイルに電流が流されている場合、コンデンサ３０１の一方の端子と配線１４２との接続を切断すると共に、コンデンサ３０５の他方の端子とコンデンサ３０２の他方の端子およびコンデンサ３０３の他方の端子とを接続する。
【００９８】
すなわち、リレー３０８は、コンデンサ３０１の一方の端子と配線１４２とを接続すると共に、コンデンサ３０５の他方の端子とコンデンサ３０２の他方の端子およびコンデンサ３０３の他方の端子との接続を切断するか、またはコンデンサ３０１の一方の端子と配線１４２との接続を切断すると共に、コンデンサ３０５の他方の端子とコンデンサ３０２の他方の端子およびコンデンサ３０３の他方の端子とを接続する。
【００９９】
リレー制御回路３０９は、制御部の一例であり、汎用または専用の論理回路、プログラマブルロジックデバイスおよびスイッチなどからなり、配線１４１の電圧および配線１４２の電圧から、リレー３０７およびリレー３０８の開閉を制御する。リレー制御回路３０９は、リレー３０７およびリレー３０８のコイルに電流を流すことにより、リレー３０７およびリレー３０８の開閉を制御する。また、リレー制御回路３０９は、ネオン管、電球または発光ダイオードなどからなる極異常表示ランプ３１０の点灯を制御する。
【０１００】
電源スイッチ３１１は、使用者の操作により、配線１４１とリレー制御回路３０９との回路（接続）を開閉する。なお、リレー制御回路３０９は、配線１４２にも接続されている。すなわち、電源スイッチ３１１が閉じられた（接続された）場合、配線１４１および配線１４２からの電源がリレー制御回路３０９に供給される。
【０１０１】
ヒューズ３１２は、配線１４１の電力供給側とリレー３０７との間に設けられ、過電流が流れた場合、接続を切る。
【０１０２】
図１２は、リレー制御回路３０９の制御を説明する図である。図１２中において、Ｌ線は、配線１４１を示し、Ｎ線は、配線１４２を示し、Ｅ線は、配線１４３を示す。また、図１２中において、リレー１は、リレー３０８を示し、リレー２は、リレー３０７を示す。さらに、図１２中において、Ｈは、電圧が印加されているＨＯＴを示し、Ｃは、電圧が印加されないＣＯＬＤを示す。
【０１０３】
リレー制御回路３０９は、配線１４１に電圧が印加され、配線１４２に電圧が印加されてなく、配線１４３に電圧が印加されていない状態１の場合、すなわち、配線１４１がラインとされ、配線１４２がニュートラルとされ、配線１４３がアースとされた状態１の場合、リレー３０８のコイルに電流を流さず（オフして）、リレー３０７のコイルに電流を流す（オンする）。また、リレー制御回路３０９は、状態１の場合、電源パイロットランプ（図示せず）を青く点灯させ、極異常表示ランプ３１０を消灯させる。
【０１０４】
このように、リレー制御回路３０９は、状態１の場合、リレー３０８に、コンデンサ３０１の一方の端子と配線１４２とを接続させると共に、コンデンサ３０５の他方の端子とコンデンサ３０２の他方の端子およびコンデンサ３０３の他方の端子との接続を切断させる。リレー制御回路３０９は、状態１の場合、リレー３０７に、配線１４１の一方の端部側および配線１４１の他方の端部側を接続させる。
【０１０５】
リレー制御回路３０９は、配線１４１に電圧が印加されてなく、配線１４２に電圧が印加され、配線１４３に電圧が印加されていない状態２の場合、すなわち、配線１４１がニュートラルとされ、配線１４２がラインとされ、配線１４３がアースとされた状態２の場合、リレー３０８のコイルに電流を流し（オンして）、リレー３０７のコイルに電流を流す（オンする）。リレー制御回路３０９は、状態２の場合、電源パイロットランプ（図示せず）を青く点灯させ、極異常表示ランプ３１０を赤く点灯させる。
【０１０６】
このように、リレー制御回路３０９は、状態２の場合、リレー３０８に、コンデンサ３０１の一方の端子と配線１４２との接続を切断させると共に、コンデンサ３０５の他方の端子とコンデンサ３０２の他方の端子およびコンデンサ３０３の他方の端子とを接続させる。リレー制御回路３０９は、状態２の場合、リレー３０７に、配線１４１の一方の端部側および配線１４１の他方の端部側を接続させる。
【０１０７】
なお、状態１および状態２において、電源スイッチ３１１が閉じられて、リレー制御回路３０９に電源が供給されてから１秒後に、リレー制御回路３０９によって、リレー３０８が動作させられ、さらに１秒後に、リレー制御回路３０９によって、リレー３０７が動作させられる。このようにすることで、漏電遮断器の作動を防止することができる。
【０１０８】
配線１４１に電圧が印加され、配線１４２に電圧が印加され、配線１４３に電圧が印加されていない状態３の場合および配線１４１に電圧が印加されてなく、配線１４２に電圧が印加されていない、配線１４３に電圧が印加されていない状態４の場合、交流接地装置１１４は使用不可なので、リレー制御回路３０９は、リレー３０７およびリレー３０８をオフさせ、電源パイロットランプ（図示せず）を赤く点灯させ、極異常表示ランプ３１０を赤く点灯させる。なお、状態３の場合および状態４の場合、リレー制御回路３０９は、電源パイロットランプ（図示せず）および極異常表示ランプ３１０を消灯させたままとすることもできる。
【０１０９】
配線１４１に電圧が印加され、配線１４２に電圧が印加されてなく、配線１４３に電圧が印加されていない状態１の場合、コンデンサ３０１は、ニュートラルである配線１４２と、アースである配線１４３とを直流的に遮断する。配線１４１に電圧が印加されてなく、配線１４２に電圧が印加され、配線１４３に電圧が印加されていない状態２の場合、コンデンサ３０５は、ニュートラルである配線１４１と、アースである配線１４３とを直流的に遮断する。
【０１１０】
コンデンサ３０２およびコンデンサ３０３は、アースである配線１４３の電力供給側と機器側とを直流的に遮断する。コンデンサ３０２およびコンデンサ３０３は、漏電を防止する役割も持っている。
【０１１１】
コンデンサ３０１の容量、コンデンサ３０２の容量、コンデンサ３０３の容量およびコンデンサ３０５の容量は、それぞれ、５μＦ乃至１０μＦである。商用電源の交流電圧（実効値）が１００Vである場合、コンデンサ３０１の耐圧、コンデンサ３０２の耐圧、コンデンサ３０３の耐圧およびコンデンサ３０５の耐圧は、それぞれ、４００Ｖ以上とされる。
【０１１２】
次に、電圧が印加されるＨＯＴ側と電圧が印加されないＣＯＬＤ側とを判別して、判別の結果に応じてニュートラルの配線とアースの配線との間にコンデンサを接続させる交流接地装置１１４の交流接地回路の構成のさらに他の例について説明する。
【０１１３】
図１３は、交流接地装置１１４の交流接地回路の構成のさらに他の例を示す図である。図１３に示される交流接地回路は、配線１４１、配線１４２、配線１４３、コンデンサ４０１、コンデンサ４０２、コンデンサ４０３、コンデンサ４０４、コンデンサ４０５、コンデンサ４０６、コンデンサ４０７、リレー４０８、リレー４０９、リレー４１０、リレー制御回路４１１、極反転表示ランプ４１２、電源スイッチ４１３および漏電／過負荷遮断器４１４を含み構成される。
【０１１４】
図１３において、図５に示す場合と同様の部分には同一の符号を付してあり、その説明は省略する。
【０１１５】
コンデンサ４０１乃至コンデンサ４０７は、それぞれ、２つの端子を有し、電荷を蓄えたり、放出したりする受動素子である。コンデンサ４０１乃至コンデンサ４０７は、それぞれ、キャパシタとも称される。
【０１１６】
配線１４３の途中には、リレー４０９を介してコンデンサ４０２およびコンデンサ４０３が直列に接続されている。
【０１１７】
コンデンサ４０１は、リレー４０８およびリレー４０９を介して配線１４１または配線１４２に接続されている。または、コンデンサ４０１は、コンデンサ４０２およびコンデンサ４０３の接続点に接続されている。コンデンサ４０４は、コンデンサ４０１に並列に接続されている。コンデンサ４０５は、コンデンサ４０２に並列に接続されている。コンデンサ４０６は、コンデンサ４０３に並列に接続されている。コンデンサ４０４乃至４０６は、より高い周波成分を含む電圧を生じさせる電荷を流す。
【０１１８】
コンデンサ４０７は、配線１４１の機器側と配線１４２とに接続されている。すなわち、コンデンサ４０７の一方の端子は、配線１４１に接続されている。コンデンサ４０７の他方の端子は、配線１４２に接続されている。
【０１１９】
コンデンサ４０１の２つの端子のうちの一方の端子と、コンデンサ４０２の２つの端子のうちの一方の端子と、コンデンサ４０３の２つの端子のうちの一方の端子とは、接続されている。
【０１２０】
リレー４０８は、ａ接点およびｂ接点を有するリレーである。リレー４０８は、それぞれ２つのａ接点およびｂ接点を有する。例えば、リレー４０８は、ラッチング型のリレーである。リレー４０８のａ接点とｂ接点とは、排他的に開閉する。
【０１２１】
リレー４０８の２つのａ接点のうちの一方のａ接点の端子は、配線１４１に接続される。リレー４０８の２つのｂ接点のうちの一方のｂ接点の端子であって、配線１４１が接続されているａ接点に対応するｂ接点の端子は、配線１４２に接続される。リレー４０８の端子のうち、配線１４１に接続されるａ接点の端子または配線１４２に接続されるｂ接点の端子のいずれか一方に接続される端子は、リレー４０９の端子のうち、コンデンサ４０１の２つの端子のうちの他方の端子に接続される端子に接続される。すなわち、リレー４０８は、リレー４０９の端子のうち、コンデンサ４０１の２つの端子のうちの他方の端子に接続される端子を、配線１４１または配線１４２のいずれか一方に排他的に接続する。
【０１２２】
リレー４０８の２つのａ接点のうちの他方のａ接点の端子は、極反転表示ランプ４１２の一方の端子に接続される。ここで、極反転表示ランプ４１２の他方の端子は、配線１４１に接続される。リレー４０８の２つのｂ接点のうちの他方のｂ接点の端子であって、極反転表示ランプ４１２の一方の端子が接続されているａ接点に対応するｂ接点の端子は、開放されている。リレー４０８の端子にうち、極反転表示ランプ４１２の一方の端子に接続されるａ接点の端子または開放されているｂ接点の端子のいずれか一方に接続される端子は、配線１４２に接続される。
【０１２３】
リレー４０８は、ラッチング型のリレーであり、リレー制御回路４１１からの信号を受けるまで、ａ接点またはｂ接点との接続の状態を維持する。
【０１２４】
リレー４０９は、シングルスティブル型のノーマルオープンタイプの８極リレーである。リレー４０９は、リレー制御回路４１１の制御により、それぞれ、２つの端子からなる組であって、３つの組の２つの端子のそれぞれを開閉する。リレー４０９において、２つの端子からなる組は、全て閉じられる（接続される）か、または全て開かれる（接続が切断される）。
【０１２５】
リレー４０９のそれぞれ２つの端子からなる３つの組のうち、第１の組の一方の端子は、リレー４０８の端子のうち、配線１４１に接続されるａ接点の端子または配線１４２に接続されるｂ接点の端子のいずれか一方に接続される端子に接続される。リレー４０９のそれぞれ２つの端子からなる３つの組のうち、第１の組の他方の端子は、コンデンサ４０１の２つの端子のうちの他方の端子に接続される。
【０１２６】
リレー４０９のそれぞれ２つの端子からなる３つの組のうち、第２の組の一方の端子は、配線１４３の他方の端部側に接続される。リレー４０９のそれぞれ２つの端子からなる３つの組のうち、第２の組の他方の端子は、コンデンサ４０３の２つの端子のうちの他方の端子に接続される。
【０１２７】
リレー４０９のそれぞれ２つの端子からなる３つの組のうち、第３の組の一方の端子は、配線１４３の一方の端部側に接続される。リレー４０９のそれぞれ２つの端子からなる３つの組のうち、第３の組の他方の端子は、コンデンサ４０２の２つの端子のうちの他方の端子に接続される。
【０１２８】
リレー４１０は、シングルスティブル型のノーマルオープンタイプの６極リレーである。リレー４１０は、リレー制御回路４１１の制御により、配線１４１の一方の端部側および配線１４１の他方の端部側の接続並びに配線１４２の一方の端部側および配線１４２の他方の端部側の接続を開閉する。
【０１２９】
すなわち、リレー４０８は、配線１４１または配線１４２のいずれか一方に排他的に接続する。リレー４０９は、コンデンサ４０１の２つの端子のうちの他方の端子をリレー４０８を介して配線１４１若しくは配線１４２のいずれか一方に接続し、コンデンサ４０２の２つの端子のうちの他方の端子を配線１４３の一方の端部側に接続し、コンデンサ４０３の２つの端子のうちの他方の端子を配線１４３の他方の端部側に接続するか、またはコンデンサ４０１の他方の端子のリレー４０８を介した配線１４１若しくは配線１４２のいずれか一方への接続を切断し、コンデンサ４０２の他方の端子の配線１４３の一方の端部側への接続を切断し、コンデンサ４０３の他方の端子の配線１４３の他方の端部側への接続を切断する。リレー４１０は、配線１４１の一方の端部側および配線１４１の他方の端部側の接続と配線１４２の一方の端部側および配線１４２の他方の端部側の接続とを開閉する。
【０１３０】
リレー制御回路４１１は、制御部の一例であり、汎用または専用の論理回路、プログラマブルロジックデバイスおよびスイッチなどからなり、配線１４１の電圧および配線１４２の電圧から、リレー４０８乃至リレー４１０の開閉を制御する。リレー制御回路４１１は、セット電圧またはリセット電圧を印加することにより、リレー４０８の接続の状態を変更させる。リレー制御回路４１１は、リレー４０９およびリレー４１０のコイルに電流を流すことにより、リレー４０９およびリレー４１０の開閉を制御する。
【０１３１】
電源スイッチ４１３は、使用者の操作により、配線１４１とリレー制御回路４１１との回路（接続）を開閉する。なお、リレー制御回路４１１は、配線１４２にも接続されている。すなわち、電源スイッチ４１３が閉じられた（接続された）場合、配線１４１および配線１４２からの電源がリレー制御回路４１１に供給される。
【０１３２】
リレー制御回路４１１は、電源スイッチ４１３が閉じられて、商用電源と機器との接続が指示された場合、配線１４１の一方の端部に交流電圧が印加され、配線１４２の一方の端部に交流電圧が印加されていないとき、リレー４０８に、配線１４１に接続させ、配線１４２の一方の端部に交流電圧が印加され、配線１４１の一方の端部に交流電圧が印加されていないとき、リレー４０８に、配線１４２に接続させ、リレー４０８を配線１４１または配線１４２のいずれか一方に接続させたとき、リレー４０９に、コンデンサ４０１の他方の端子をリレー４０８を介して配線１４１または配線１４２のいずれか一方に接続させ、コンデンサ４０２の他方の端子を配線１４３の一方の端部側に接続させ、コンデンサ４０３の他方の端子を配線１４３の他方の端部側に接続させるように、リレー４０８およびリレー４０９の開閉を制御する。また、リレー制御回路４１１は、リレー４０８およびリレー４０９の開閉を制御した後、所定の期間後に、リレー４１０に、配線１４１の一方の端部側および配線１４１の他方の端部側を接続させ、配線１４２の一方の端部側および配線１４２の他方の端部側を接続させる。さらに、リレー制御回路４１１は、配線１４１に電圧が印加され、配線１４２に電圧が印加され、配線１４３に電圧が印加されていない状態の場合および配線１４１に電圧が印加されてなく、配線１４２に電圧が印加されていない、配線１４３に電圧が印加されていない状態の場合、交流接地装置１１４は使用不可なので、リレー４１０に、配線１４１の一方の端部側および配線１４１の他方の端部側を接続させず、配線１４２の一方の端部側および配線１４２の他方の端部側を接続させない。
【０１３３】
極反転表示ランプ４１２は、リレー４０８により、配線１４１と配線１４２とに接続された場合、赤く発光する。すなわち、極反転表示ランプ４１２は、配線１４２の一方の端部に交流電圧が印加され、配線１４１の一方の端部に交流電圧が印加されていない場合、赤く発光する。
【０１３４】
漏電／過負荷遮断器４１４は、配線１４１および配線１４２の一方の端部側に設けられ、漏電した場合または過電流が流れた場合、配線１４１または配線１４２の接続を切る。
【０１３５】
配線１４１に電圧が印加され、配線１４２に電圧が印加されていない場合、コンデンサ４０１は、ニュートラルである配線１４２と、アースである配線１４３とを直流的に遮断する。配線１４１に電圧が印加されてなく、配線１４２に電圧が印加されている場合、コンデンサ４０１は、ニュートラルである配線１４１と、アースである配線１４３とを直流的に遮断する。
【０１３６】
コンデンサ４０２およびコンデンサ４０３は、アースである配線１４３の電力供給側と機器側とを直流的に遮断する。コンデンサ４０２およびコンデンサ４０３は、漏電を防止する役割も持っている。
【０１３７】
コンデンサ４０１の容量、コンデンサ４０２の容量、コンデンサ４０３の容量およびコンデンサ４０７の容量は、それぞれ、５μＦ乃至１０μＦである。商用電源の交流電圧（実効値）が１００Vである場合、コンデンサ４０１の耐圧、コンデンサ４０２の耐圧、コンデンサ４０３の耐圧およびコンデンサ４０７の耐圧は、それぞれ、４００Ｖ以上とされる。例えば、コンデンサ４０４、コンデンサ４０５およびコンデンサ４０６は、フィルムコンデンサまたはオイルコンデンサとされる。
【０１３８】
なお、交流接地回路を、マルチタップ１０１の差込プラグ１１２または接続部１１１に設けることもできる。また、交流接地回路を、再生装置１０２または増幅装置１０３などの機器内に設けることもできる。
【０１３９】
このように、交流接地装置１１４の交流接地回路は、一方の端部が交流の商用電源のラインに接続され、他方の端部が機器の電源に接続される配線１４１と、一方の端部が商用電源のニュートラルに接続され、他方の端部が機器の電源に接続される配線１４２と、一方の端部が開放され、他方の端部が機器のアースに接続される配線１４３とで商用電源を機器に接続し、接地する接地回路であって、２つの端子を有し、２つの端子のうちの一方の端子が配線１４２に接続されているコンデンサ１５１と、２つの端子を有し、２つの端子のうちの一方の端子が配線１４３の一方の端部側に接続されているコンデンサ１５２と、２つの端子を有し、２つの端子のうちの一方の端子が配線１４３の他方の端部側に接続されているコンデンサ１５３とを備え、コンデンサ１５１の２つの端子のうちの他方の端子、コンデンサ１５２の２つの端子のうちの他方の端子およびコンデンサ１５３の２つの端子のうちの他方の端子が接続されている。
【０１４０】
２つの端子を有し、２つの端子のうちの一方の端子が配線１４１に接続され、２つの端子のうちの他方の端子が配線１４２に接続されているコンデンサ２３１をさらに設けることができる。
【０１４１】
２つの端子を有し、２つの端子のうちの一方の端子が配線１４１の他方の端部側に接続されているコンデンサ３０５と、配線１４１の一方の端部側および配線１４１の他方の端部側の接続を開閉するリレー３０７と、コンデンサ３０１の一方の端子と配線１４２とを接続すると共に、コンデンサ３０５の２つの端子のうちの他方の端子とコンデンサ３０２の他方の端子およびコンデンサ３０３の他方の端子との接続を切断するか、またはコンデンサ３０１の一方の端子と配線１４２との接続を切断すると共に、コンデンサ３０５の他方の端子とコンデンサ３０２の他方の端子およびコンデンサ３０３の他方の端子とを接続するリレー３０８とをさらに設けることができる。
【０１４２】
商用電源と機器との接続が指示された場合、配線１４１の一方の端部に交流電圧が印加され、配線１４２の一方の端部に交流電圧が印加されていないとき、リレー３０８に、コンデンサ３０１の一方の端子と配線１４２とを接続させると共に、コンデンサ３０５の他方の端子とコンデンサ３０２の他方の端子およびコンデンサ３０３の他方の端子との接続を切断させ、配線１４２の一方の端部に交流電圧が印加され、配線１４１の一方の端部に交流電圧が印加されていないとき、リレー３０８に、コンデンサ３０１の一方の端子と配線１４２との接続を切断させると共に、コンデンサ３０５の他方の端子とコンデンサ３０２の他方の端子およびコンデンサ３０３の他方の端子とを接続させ、リレー３０８を開閉させてから、リレー３０７に、配線１４１の一方の端部と、配線１４１の他方の端部側とを接続させるように、リレー３０７およびリレー３０８の開閉を制御するリレー制御回路３０９をさらに設けることができる。
【０１４３】
交流接地装置１１４の交流接地回路は、一方の端部が交流の商用電源のラインに接続され、他方の端部が機器の電源に接続される配線１４１と、一方の端部が商用電源のニュートラルに接続され、他方の端部が機器の電源に接続される配線１４２と、一方の端部が開放され、他方の端部が機器のアースに接続される配線１４３とで商用電源を機器に接続し、接地する接地回路であって、２つの端子を有するコンデンサ４０１と、２つの端子を有し、２つの端子のうちの一方の端子がコンデンサ４０１の２つの端子のうちの一方の端子に接続されているコンデンサ４０２と、２つの端子を有し、２つの端子のうちの一方の端子がコンデンサ４０１の一方の端子およびコンデンサ４０２の一方の端子に接続されているコンデンサ４０３と、配線１４１または配線１４２のいずれか一方に排他的に接続するリレー４０８と、コンデンサ４０１の２つの端子のうちの他方の端子をリレー４０８を介して配線１４１若しくは配線１４２のいずれか一方に接続し、コンデンサ４０２の２つの端子のうちの他方の端子を配線１４３の一方の端部側に接続し、コンデンサ４０３の２つの端子のうちの他方の端子を配線１４３の他方の端部側に接続するか、またはコンデンサ４０１の他方の端子のリレー４０８を介した配線１４１若しくは配線１４２のいずれか一方への接続を切断し、コンデンサ４０２の他方の端子の配線１４３の一方の端部側への接続を切断し、コンデンサ４０３の他方の端子の配線１４３の他方の端部側への接続を切断するリレー４０９とを備える。
【０１４４】
商用電源と機器との接続が指示された場合、配線１４１の一方の端部に交流電圧が印加され、配線１４２の一方の端部に交流電圧が印加されていないとき、リレー４０８に、配線１４１に接続させ、配線１４２の一方の端部に交流電圧が印加され、配線１４１の一方の端部に交流電圧が印加されていないとき、リレー４０８に、配線１４２に接続させ、リレー４０８を配線１４１または配線１４２のいずれか一方に接続させたとき、リレー４０９に、コンデンサ４０１の他方の端子をリレー４０８を介して配線１４１または配線１４２のいずれか一方に接続させ、コンデンサ４０２の他方の端子を配線１４３の一方の端部側に接続させ、コンデンサ４０３の他方の端子を配線１４３の他方の端部側に接続させるように、リレー４０８およびリレー４０９の開閉を制御するリレー制御回路４１１をさらに設けることができる。
【０１４５】
２つの端子を有し、２つの端子のうちの一方の端子が配線１４１に接続され、２つの端子のうちの他方の端子が配線１４２に接続されているコンデンサ４０７をさらに設けることができる。
【０１４６】
配線１４１の一方の端部側および配線１４１の他方の端部側の接続と配線１４２の一方の端部側および配線１４２の他方の端部側の接続とを開閉するリレー４１０をさらに設けることができる。
【０１４７】
電源用のマルチタップ１０１に接地回路を設けることができる。
【０１４８】
また、本発明の実施の形態は、上述した実施の形態に限定されるものではなく、本発明の要旨を逸脱しない範囲において種々の変更が可能である。
【符号の説明】
【０１４９】
１０１  マルチタップ，  １０２  再生装置，  １０３  増幅装置，  １１１  接続部，  １１２  差込プラグ，  １１３  コード，  １１４−１乃至１１４−３および１１４  交流接地装置，  １１５  差込プラグ，  １１６  コード，  １１８  差込プラグ，  １１９  コード，  １４１乃至１４３  配線，  １４４  電柱側中性点接地，  １４５  機器専用接地，  １５１乃至１５３  コンデンサ，  １５４  スイッチ，  ２３１  コンデンサ，  ３０１乃至３０３および３０５  コンデンサ、  ３０４および３０６  抵抗器，  ３０７および３０８  リレー，  ３０９  リレー制御回路，  ３１０  極異常表示ランプ，  ３１１  電源スイッチ，  ３１２  ヒューズ，  ４０１乃至４０７  コンデンサ，  ４０８乃至４１０  リレー，  ４１１  リレー制御回路，  ４１２  極反転表示ランプ，  ４１３  電源スイッチ，  ４１４  漏電／過負荷遮断器
【図１】
2020027754.tif 000003
【図２】
2020027754.tif 000004
【図３】
2020027754.tif 000005
【図４】
2020027754.tif 000006
【図５】
2020027754.tif 000007
【図６】
2020027754.tif 000008
【図７】
2020027754.tif 000009
【図８】
2020027754.tif 000010
【図９】
2020027754.tif 000011
【図１０】
2020027754.tif 000012
【図１１】
2020027754.tif 000013
【図１２】
2020027754.tif 000014
【図１３】
2020027754.tif 000015